(57)【要約】【課題】誤装着防止用の凸部を有する口金において、直管状のバルブの両端に固着される口金のねじれ角度の発生を抑制して、照明器具のソケットへの装着を円滑に行うことができる蛍光ランプ用口金、蛍光ランプ及びこれらを備えた照明器具を提供すること目的とする。【解決手段】本発明は、筒状の口金シェル２と、口金シェル２の一端側に設けられたベース３と、ベース３から起立する互いに対向する方向に開放する開放端縁４ｂを有する一対の略半円筒体４ａを備え、この一対の略半円筒体４ａに囲まれた内側に接触片６が設けられた嵌合部４と、ベース３から起立して設けられ、前記開放端縁４ｂと間隙８が設けられるとともに、開放端縁４ｂよりも外側に突出して配設された一対の凸部７とを備える蛍光ランプ用口金１である。【選択図】図２
2011054344.tif 000002
【特許請求の範囲】
【請求項１】
筒状の口金シェルと；
口金シェルの一端側に設けられたベースと；
ベースから起立する互いに対向する方向に開放する開放端縁を有する一対の略半円筒体を備え、この一対の略半円筒体に囲まれた内側に接触片が設けられた嵌合部と；
ベースから起立して設けられ、前記開放端縁と間隙が設けられるとともに、開放端縁よりも外側に突出して配設された一対の凸部と；
を具備することを特徴とする蛍光ランプ用口金。
【請求項２】
直管状のバルブと;
このバルブの両端に固着された請求項１に記載の蛍光ランプ用口金と；
を具備することを特徴とする蛍光ランプ。
【請求項３】
器具本体と；
この器具本体に装着される請求項２に記載の蛍光ランプと；
を具備することを特徴とする照明器具。
【発明の詳細な説明】
【技術分野】
【０００１】
本発明は、蛍光ランプ用口金、蛍光ランプ及びこれらを備えた照明器具に関する。
【背景技術】
【０００２】
直管形蛍光ランプの中にはランプの全長が同一で定格ランプ電力が異なる複数種類のものがあり、各種類のランプに適合する照明器具が提供されている。そして、照明器具への非適合ランプの誤装着を防止するため、ランプの口金に凸部等を設け、また、この口金に対応するソケットを照明器具に取付けたものが提案されている（特許文献１参照）。
【０００３】
一方、ＪＩＳ（日本工業規格）Ｃ７７０９−１において、Ｒ１７ｄ口金及びＲＸ１７ｄ口金が規格化されている。これらは、ランプの全長が同一で定格ランプ電力が異なるＦＬＲ１１０ＨとＨＦＨ８６の口金に関する規格である。ＦＬＲ１１０Ｈは、定格ランプ電力を１１０Ｗ、ＨＦＨ８６は、定格ランプ電力を８６Ｗとするランプであり、これらランプの照明器具への誤装着を防止するため、口金には、誤装着防止用の構成がとられている。
【０００４】
ところで、この種、直管形蛍光ランプでは、バルブの両端に口金が固着されるが、製造工程において、両端の口金の円周方向の角度がずれて固着されると、すなわち、ねじれ角度が生じて固着されると、照明器具ソケットへのランプの装着が困難になったり、円滑に行えなくなったりする問題が起きる。このような問題を防止するため、このねじれ角は、６度以下の範囲とする管理が必要となる。
【０００５】
そのため、ＪＩＳ  Ｃ７６１７−２において、Ｒ１７ｄ口金の場合、ねじれの検査方法として、ランプ両端の口金嵌合部がこれに対向した深さ６．３５ｍｍ、幅９．２２ｍｍの溝に無理なく挿入できるか否かで検査することが示されている。また、ランプの製造工程では、楕円筒状の嵌合部の長軸側平面部、つまり、外壁の平面部を利用してねじれ角度を規制することが可能である。
【先行技術文献】
【特許文献】
【０００６】
【特許文献１】特許第４２６１８０８号公報
【発明の概要】
【発明が解決しようとする課題】
【０００７】
しかしながら、ＲＸ１７ｄ口金のように嵌合部の外壁側に凸部を形成したものでは、この凸部の存在により、上記ＪＩＳ  Ｃ７６１７−２に示されたような検査方法を適用するのは困難であり、また、嵌合部の外壁は平面とはならないため、外壁を利用したねじれ角度の規制をランプの製造工程で行うことも困難となる。
【０００８】
本発明は、上記課題に鑑みなされたもので、誤装着防止用の凸部を有する口金において、直管状のバルブの両端に固着される口金のねじれ角度の発生を抑制して、照明器具のソケットへの装着を円滑に行うことができる蛍光ランプ用口金、蛍光ランプ及びこれらを備えた照明器具を提供すること目的とする。
【課題を解決するための手段】
【０００９】
請求項１に記載の蛍光ランプ用口金は、筒状の口金シェルと；口金シェルの一端側に設けられたベースと；ベースから起立する互いに対向する方向に開放する開放端縁を有する一対の略半円筒体を備え、この一対の略半円筒体に囲まれた内側に接触片が設けられた嵌合部と；ベースから起立して設けられ、前記開放端縁と間隙が設けられるとともに、開放端縁よりも外側に突出して配設された一対の凸部と；を具備することを特徴とする。
【００１０】
蛍光ランプ用口金は、例えば、ＪＩＳ（日本工業規格）Ｃ７７０９−１において規定されているＲＸ１７ｄ口金のようなタイプを対象としている。このような構成により、凸部における嵌合部の開放端縁との間隙を利用して、直管形蛍光ランプの両端に固着される口金のねじれ角度の発生を抑制することが可能となる。
【００１１】
請求項２に記載の蛍光ランプは、直管状のバルブと;このバルブの両端に固着された請求項１に記載の蛍光ランプ用口金と；を具備することを特徴とする。
【００１２】
請求項３に記載の照明器具は、器具本体と；この器具本体に装着される請求項２に記載の蛍光ランプと；を具備することを特徴とする。
【発明の効果】
【００１３】
請求項１に記載の発明によれば、直管状のバルブの両端に固着される口金のねじれ角度の発生を抑制することができる蛍光ランプ用口金を提供できる。
【００１４】
請求項２に記載の発明によれば、照明器具への装着を円滑に行うことができる蛍光ランプを提供することができる。
【００１５】
請求項３に記載の発明によれば、蛍光ランプの装着が円滑に行える照明器具を提供することができる。
【図面の簡単な説明】
【００１６】
【図１】本発明の第１の実施形態に係る蛍光ランプを示す正面図である。
【図２】同蛍光ランプ用口金を示す概略的な斜視図である。
【図３】同蛍光ランプ用口金の平面図である。
【図４】同蛍光ランプ用口金の正面図である。
【図５】同蛍光ランプ用口金の側面図である。
【図６】同口金取付け工程の概略を模式的に示す説明図である。
【図７】同口金取付け工程における要部を拡大して示す正面図である。
【図８】図７におけるＹ−Ｙ線に沿って切断して示す断面図である。
【図９】同検査工程における口金保持具の利用形態を示す説明図である。
【図１０】同口金のねじれの検査方法を示す正面図である。
【図１１】同口金のねじれの検査方法を示す側面図である。
【図１２】本発明の第２の実施形態に係る蛍光ランプ用口金を示す概略的な斜視図である。
【図１３】同平面図である。
【図１４】同正面図である。
【図１５】本発明の第３の実施形態に係る蛍光ランプ用口金を示す平面図である。
【図１６】同正面図である。
【図１７】本発明の実施形態に係る照明器具のソケットを示す側面図及び正面図である。
【図１８】同照明器具を示す正面図である。
【発明を実施するための形態】
【００１７】
以下、本発明の第１の実施形態に係る蛍光ランプ用口金及び蛍光ランプについて図１乃至図１１を参照して説明する。
【００１８】
図１は、定格ランプ電力を８６Ｗとする直管形のＨＦＨ８６の蛍光ランプ１０を示しており、直管状のガラスバルブの両端にＲＸ１７ｄ形の口金１が固着されている。図２乃至図５に示すように、口金１は、両端が開口した円筒状の口金シェル２、この口金シェル２の一端側に固着されて開口を閉塞するようなベース３と、このベース３に一体的に形成された嵌合部４とを備えている。口金シェル２は、アルミニウム等の金属をプレス成形して形成されている。
【００１９】
ベース３は、合成樹脂製の絶縁材で形成されており、その中央部に略楕円筒状の嵌合部４が起立するように形成されている。嵌合部４は、楕円筒状の内壁側に矩形状の凹孔５を有し、この凹孔５内の隔壁には、一対の接触片としての端子板６が対向して取付けられている。この端子板６は、図示しないランプのリード線と接続されるものである。また、楕円筒状の嵌合部４の長軸上の中央部に、凹孔５を挟んで嵌合部４から外周方向に突出するように起立する一対の凸部７が対向して形成されている。
【００２０】
具体的には、嵌合部４は、一対の略半円筒体４ａを備えており、この各略半円筒体４ａは、その開放端縁４ｂが互いに対向するように配設されている。そして、この一対の略半円筒体４ａに囲まれた内側に対向して端子板６が設けられている。また、一対の略半円筒体４ａの開放端縁４ｂ間には、ベース３から起立して、開放端縁４ｂと間隙８を設けて、かつ開放端縁４ｂより外周側に突出した一対の凸部７が対向して形成されている。したがって、嵌合部４と凸部７とは分離されるような形態をなしている。
【００２１】
換言すれば、凸部７の起立方向に沿う両側には、間隙８によって嵌合部４の楕円の短軸方向に２本の平行な切り込みが形成されている状態となっている（主として図３及び図４参照）。因みに、間隙８の幅寸法は、約１ｍｍに形成されている。
【００２２】
以上のような構成によって、蛍光ランプ１０をＦＬＲ１１０Ｈ用の照明器具に装着してしまう誤装着を回避することができる。
【００２３】
次に、蛍光ランプ１０の製造工程である口金取付け工程の概要について図６乃至図８を参照して説明する。図６において、口金取付け装置２０は、本体２１と、蛍光ランプ載置台２２と、口金保持具２３とを備えている。口金保持具２３は、本体２１の両側に設けられており、図示上、左右方向に移動可能になっている。そして、載置台２２には、両端からリード線１１が導出されたバルブが載置されている。また、口金保持具２３には、バルブの両端に対向するように口金１が保持されている。このような状態から口金保持具２３をバルブの端部に向かって移動させ、口金１をバルブの端部に挿入することにより、バルブの両端に口金１が取付けられる。
【００２４】
ここで、図７及び図８に示すように、口金保持具２３からは２つの平板状の支持板２３ａが水平方向に平行に延出しており、この支持板２３ａに口金１の間隙８が挿入されて口金１が保持されるようになっている。そして、この両側の口金保持具２３の支持板２３ａは、その円周方向の角度が同期するように設定されているため、バルブの両端に固着される口金１の円周方向の角度は略一致し、ねじれ角度の発生を抑制することができる。したがって、口金１の間隙８を利用してバルブの両端に固着される口金１のねじれ角度の発生を抑制することが可能となる。
【００２５】
なお、口金保持具２３の左右方向の移動は、自動的に行うようにしても手動で行うようにしてもよい。また、口金取付け工程は、上記の方法に限定されるものではない。要は、口金１の間隙８を利用してバルブの両端に固着される口金１のねじれ角度の発生を抑制できる形態であればよい。さらに、図９に示すように、支持板２３ａが設けられた口金保持具２３の部分を回動可能に構成することにより、蛍光ランプ１０の検査工程において、ねじれ角度を測定することが可能となる。
【００２６】
次に、口金１のねじれの検査方法について図１０及び図１１を参照して説明する。この検査方法は、光センサを用いている。光センサとしては、具体的には、透過型フォトセンサ３０を用いており、このフォトセンサ３０には、発光素子３１から発光される光が直接受光素子３２に受光されるように、発光素子３１と受光素子３２とが対向して設けられている。発光素子３１からの光が遮光されることにより変化する受光素子３２の出力を利用して検査を行うものである。
【００２７】
検査にあたっては、まず、蛍光ランプ１０の口金１の一端側を基準とする。つまり、例えば、一端側を嵌合部４が水平状態になるように固定する。そして、他端側の口金１の部分に、図に示すように、発光素子３１から発光される光が口金１の間隙８に対応するようにフォトセンサ３０をセットする。
【００２８】
これにより、発光素子３１から発光される光が口金１の間隙８を通過して受光素子３２に到達する場合は、所定の出力電流が出力されるので、ねじれ角度が生じていないことが分る。一方、発光素子３１から発光される光が嵌合部４や凸部７によって遮光される場合は、出力電流が小さくなるので、ねじれ角度が生じていることが分る。このように、口金１の間隙８を利用して、光によって口金１のねじれを検査することが可能である。
【００２９】
なお、この検査方法を製造工程に活用することもできる。例えば、フォトセンサで口金１の円周方向の角度を検出して口金１を位置決めすることによって、ねじれ角度が発生しないように口金１をバルブに取付けるようにすることができる。また、フォトセンサ３０を回動可能にすることにより、ねじれ角度を測定することも可能である。さらに、フォトセンサは、透過型に限らず、反射型のものを用いるようにしてもよく、さらにまた、光学的に検査可能な手段であれば、フォトセンサを用いることに限定されるものではない。
【００３０】
以上のように本実施形態によれば、誤装着防止用の凸部を有する口金１において、口金１に設けられた間隙８を利用して、製造工程ではバルブの両端に固着される口金１のねじれ角度の発生を抑制することができ、検査工程では、ねじれを測定して品質の管理を行うことができる。また、凸部７は、間隙８によって嵌合部４と分離されるように構成されているので、撓むことが可能であり、照明器具のソケットに口金１を装着するに際し、装着性が良好となる効果が期待できる。
【００３１】
次に、本発明の第２の実施形態に係る蛍光ランプ用口金について図１２乃至図１４を参照して説明する。なお、第１の実施形態と同一又は相当部分には、同一符号を付し重複した説明は省略する。本実施形態では、間隙８の開放端部側を円弧状に広げて幅広部８ａを形成したものである。なお、この幅広部８ａは、円弧状に限らず、例えば、直線の傾斜状に形成してもよい。
【００３２】
したがって、本実施形態によれば、第１の実施形態の効果に加え、幅広部８ａが形成されているので、口金保持具２３の支持板２３ａに口金１の間隙８を挿入するに際し、その挿入が容易となる効果を奏することができる。
【００３３】
続いて、本発明の第３の実施形態に係る蛍光ランプ用口金について図１５及び図１６を参照して説明する。なお、第１の実施形態と同一又は相当部分には、同一符号を付し重複した説明は省略する。本実施形態では、間隙８をテーパ状であって階段状に形成したものであり、間隙８の開放端部側を幅広部８ａ、その反対側、すなわち、凸部７の根元側を幅狭部８ｃとし、幅広部８ａと幅狭部８ｃとの間を中間部８ｂとして形成したものである。この幅広部８ａの幅寸法は、２．５ｍｍ、中間部８ｂの幅寸法は、２ｍｍ、幅狭部８ｃの幅寸法は、０．７ｍｍに設定されている。
【００３４】
このような構成によれば、第１の実施形態の効果に加え、幅広部８ａにより、口金保持具２３の支持板２３ａに口金１の間隙８を挿入するに際し、その挿入が容易となり、また、幅狭部８ｃの幅寸法を適宜調整することにより、凸部７の撓み量の調整が可能となる。加えて、間隙８はテーパ状に形成されているので、これが金型の抜きテーパになり、樹脂成形時、金型の抜き作業が容易となる。
【００３５】
次に、本発明の実施形態に係る照明器具について図１７及び図１８を参照して説明する。なお、第１の実施形態と同一又は相当部分には、同一符号を付し重複した説明は省略する。
【００３６】
図１７に示すように、上記各実施形態の口金１と接続されるソケットは、本体４０、この本体４０内に収納された受金４１を備えている。受金４１は、口金１の嵌合部４が嵌合される嵌合凹所４２と、この嵌合凹所４２の中央部に配設されたガイド部４３と、接続端子４４とを有し、また、口金１の凸部７と嵌合する凹所４５を備えている。
【００３７】
このように構成されたソケットは、図１８に示すように、照明器具本体５０の両側に一対取着されている。したがって、蛍光ランプ１０は、その口金１がソケットに嵌合され装着されて保持される。この蛍光ランプ１０の装着に際し、蛍光ランプ１０は、両端に固着された口金１のねじれ角度の発生が抑制されているので、その装着を円滑に行うことができる。また、凸部７は、撓むことが可能であるため、その装着性が良好となる。
【００３８】
なお、本発明は、上記各実施形態の構成に限定されることなく、発明の要旨を逸脱しない範囲で種々の変形が可能である。例えば、本発明は、上記実施形態において説明した口金取付け工程や口金のねじれの検査方法に格別限定されるものではない。要は、口金に設けられた間隙を利用してバルブの両端に固着される口金のねじれ角度の発生を抑制することができものであればよい。
【符号の説明】
【００３９】
１・・・蛍光ランプ用口金、２・・・口金シェル、３・・・ベース、
４・・・嵌合部、４ａ・・・半円筒体、４ｂ・・・開放端縁、５・・・凹孔、
６・・・接触片（端子板）、７・・・凸部、８・・・間隙、１０・・・蛍光ランプ、
４０・・・照明器具本体
【図１】
2011054344.tif 000003
【図２】
2011054344.tif 000004
【図３】
2011054344.tif 000005
【図４】
2011054344.tif 000006
【図５】
2011054344.tif 000007
【図６】
2011054344.tif 000008
【図７】
2011054344.tif 000009
【図８】
2011054344.tif 000010
【図９】
2011054344.tif 000011
【図１０】
2011054344.tif 000012
【図１１】
2011054344.tif 000013
【図１２】
2011054344.tif 000014
【図１３】
2011054344.tif 000015
【図１４】
2011054344.tif 000016
【図１５】
2011054344.tif 000017
【図１６】
2011054344.tif 000018
【図１７】
2011054344.tif 000019
【図１８】
2011054344.tif 000020